(57)【要約】      （修正有）【課題】放射線治療の治療時間の短縮化を支援する、放射線治療支援システムを提供する。【解決手段】人間が携帯できる情報電子端末２と、コンピュータ・ネットワーク３を介して情報電子端末と接続されるサーバー４とを備えた放射線治療支援システム１において、情報電子端末は、サーバーに対して放射線治療の対象となる患者の該当する患者情報の送信を命令する患者情報送信命令手段と、患者情報送信命令を受けたサーバーから送信された患者情報を受信する手段と、患者情報を情報電子端末の表示部８に表示する手段と、サーバーから受信した患者情報から患者固定具に関する情報を取得して表示部に表示するように制御する制御手段と、を備え、サーバーは、患者情報を記憶部に記憶する記憶手段と、患者情報送信命令を受けて、対応する患者情報を情報電子端末に送信する送信手段と、を備える。【選択図】図１
0003235472.tif 000002
【実用新案登録請求の範囲】
【請求項１】
人間が携帯できる情報電子端末と、コンピュータ・ネットワークを介して前記情報電子端末と接続されるサーバーとを備えた放射線治療支援システムにおいて、
前記情報電子端末は、
前記サーバーに対して放射線治療の対象となる患者の該当する患者情報の送信を命令する患者情報送信命令手段と、
前記患者情報送信命令を受けた前記サーバーから送信された患者情報を受信する受信手段と、
前記患者情報を前記情報電子端末の表示部に表示する表示手段と、
前記サーバーから受信した前記患者情報から患者固定具に関する情報を取得して前記表示部に表示するように制御する制御手段と、を備え、
前記サーバーは、
前記患者情報を記憶部に記憶する記憶手段と、
前記患者情報送信命令を受けて、対応する前記患者情報を前記情報電子端末に送信する送信手段と、
を備えることを特徴とする放射線治療支援システム。
【請求項２】
前記患者情報に患者の個人情報、放射線照射線量及び放射線照射回数を含むことを特徴とする
請求項１に記載の放射線治療支援システム。
【請求項３】
前記患者固定具に関する情報が画像である
請求項１もしくは２に記載の放射線治療支援システム。
【請求項４】
前記患者固定具に関する情報に、患者に固定具が装着されている状態を表す画像が含まれていることを特徴とする
請求項１〜３のいずれか１つに記載の放射線治療支援システム。
【請求項５】
人間が携帯できる大きさに形成され、
患者情報が記憶されているサーバーに対して、放射線治療の対象となる患者の該当する患者情報を送信するよう命令する患者情報送信命令手段と、
患者情報送信命令を受けた前記サーバーから送信された前記患者情報を受信する受信手段と、
前記サーバーから受信した前記患者情報を表示部に表示する画面表示手段と、
前記サーバーから受信した前記患者情報から患者固定具に関する情報を取得して前記表示部に表示するように制御する制御手段と、
を備えることを特徴とする情報電子端末。
【請求項６】
前記患者情報に患者の個人情報、放射線照射線量、及び放射線照射回数に関する情報を含むことを特徴とする
請求項５に記載の情報電子端末。
【請求項７】
前記患者固定具に関する情報が画像である
請求項５又は６に記載の情報電子端末。
【請求項８】
前記患者固定具に関する情報に、患者に患者固定具が装着されている状態を表す画像が含まれていることを特徴とする
請求項５〜７のいずれか１つに記載の情報電子端末。
【考案の詳細な説明】
【技術分野】
【０００１】
本考案は、放射線治療支援システムに関する。
【背景技術】
【０００２】
放射線治療は、手術、薬物療法（抗がん剤治療）と並ぶがんの３大治療法の１つで、患部の局所に対して行われる治療法であり、がん細胞内の組織細胞を破壊、又は分裂阻止等することで、患部の治癒を目指すものである。
【０００３】
この放射線治療は、患部周辺の正常組織の障害を最小限度に抑えるため、又は患部への効果的な放射線照射のため、患部に放射線を正確に位置決めして照射することが求められる。そのため、放射線照射にあたっては、常に患部を確実に固定することが要求される。
【０００４】
この患部の固定方法としては、患部を固定するための固定具（以下、患者固定具という。）が用いられ、患部に対する固定具の脱着は医師又は放射線技師（以下、医師等という。）が行うことが一般的である。
【先行技術文献】
【特許文献】
【０００５】
【特許文献１】特開２００３−０４９０５７
【考案の概要】
【考案が解決しようとする課題】
【０００６】
この患者固定具は、患者に適したものを選択する必要があるため、患者個々人に応じて、患者固定具がストックされることになる。
【０００７】
そのため、連続して放射線治療を行う場合には、１人の治療が終了するたびに、次の患者に割り当てられた患者固定具を準備する必要がある。
【０００８】
しかし、医師等は放射線照射終了後、患者が着替えなどで放射線照射装置が設置されている治療室にいる間は、安全性の観点から、治療室を出ることができないという実情がある。
【０００９】
この場合、医師等は治療室とは別の部屋である操作室に設置された放射線照射装置を操作していたコンピュータを確認することができないため、次の患者情報を確認することができず、次の患者の治療の準備に取り掛かることができない。そのため、医師等が放射線照射装置を操作することなく、また、次の治療の準備も行わない時間が生じ、全体としての治療時間の長時間化を招く問題があった。
【課題を解決するための手段】
【００１０】
そこで、上記課題を解決するための手段として本考案に係る放射線治療支援システムは、人間が携帯できる情報電子端末と、コンピュータ・ネットワークを介して前記情報電子端末と接続されるサーバーとを備えた放射線治療支援システムであって、前記情報電子端末は、前記サーバーに対して放射線治療の対象となる患者の該当する患者情報の送信を命令する患者情報送信命令手段と、前記患者情報送信命令を受けた前記サーバーから送信された患者情報を受信する受信手段と、前記患者情報を前記情報電子端末の表示部に表示する表示手段と、前記サーバーから受信した前記患者情報から患者固定具に関する情報を取得して前記表示部に表示するように制御する制御手段と、を備え、前記サーバーは、前記患者情報を記憶部に記憶する記憶手段と、前記患者情報送信命令を受けて、対応する患者情報を前記情報電子端末に送信する送信手段と、を備えることを特徴とする。
【００１１】
また、本考案に係る情報電子端末は、人間が携帯できる大きさに形成され、前記患者情報が記憶されているサーバーに対して、放射線治療の対象となる患者の該当する患者情報を送信するよう命令する患者情報送信命令手段と、前記患者情報送信命令を受けた前記サーバーから送信された患者情報を受信する受信手段と、前記サーバーから受信した前記患者情報を表示部に表示する画面表示手段と、前記サーバーから受信した前記患者情報から患者固定具に関する情報を取得して前記表示部に表示するように制御する制御手段と、を備えることを特徴とする。
【００１２】
さらに、前記患者情報に少なくとも患者の個人情報、放射線照射線量、放射線照射回数に関する情報を含むことが好ましい。このような構成により、医師等は、患者に対して行うべき治療内容を正確に理解することができるため、１人の患者に対する放射線治療を手順に沿って迅速に行うことができ、治療時間の短縮化を図ることができる。
【００１３】
さらにまた、前記患者固定具に関する情報が画像であることが好ましい。このような構成により、医師等は、あらかじめ放射線治療患者に割り当てられた患者固定具を画像に基づいて正確に選択することができ、放射線治療患者と患者固定具のミスマッチを防止することができる。
【００１４】
また、前記患者固定具に関する情報に、患者に患者固定具が装着されている状態を表す画像が含まれていることが好ましい。このような構成により、医師等は、画像に表示されている患者固定具の装着状態と同様に、放射線治療患者に対して患者固定具を取り付ければよいため、正確かつ迅速に患者固定具を取り付けることができる。
【考案の効果】
【００１５】
本考案によれば、医師等は、放射線照射終了後、患者が着替えなどで放射線照射装置が設置されている治療室にいる間にも、治療室内にいながら、次の患者情報を確認できるとともに、次の患者の治療の準備を進めることができる。これにより、全体としての治療時間の短縮化が可能となる。
【図面の簡単な説明】
【００１６】
【図１】放射線治療支援システム１の概要を示すブロック図である。
【図２】放射線治療支援システム１の開始から終了までの一連の流れを示すフローチャート図である。
【図３】放射線治療支援システム１の概要を示すブロック図である。
【図４】サーバー４の記憶部２２の概略を示す図である。
【図５】放射線治療支援システム１の開始画面を示す図である。
【図６】放射線治療支援システム１における患者情報表示選択画面を示す図である。
【図７】放射線治療支援システム１における患者情報５の表示画面を示す第１の図である。
【図８】患者固定具１０の装着状態を表示した画像の拡大図である。
【図９】放射線治療支援システム１における患者情報５及び固定具に関する情報１１の表示画面を示す第２の図である。
【考案を実施するための形態】
【００１７】
以下、本考案に係る実施の形態を、図を参照しながら詳しく説明する。なお、本明細書及び図面において、実質的に同一の機能構成を有する構成要素については、同一の符号を付することにより重複説明を省略する。
【００１８】
図１〜９は、本考案の放射線治療支援システム１の実施の形態を示すものである。
この放射線治療支援システム１は、図１、図３、図５及び図６に示すように、人間が携帯できる情報電子端末２と、コンピュータ・ネットワーク３を介して情報電子端末２と接続されるサーバー４と、を有してなる。また、情報電子端末２には、サーバー４に対して放射線治療の対象となる患者の患者情報５の送付を命令する患者情報送信命令手段６と、患者情報送信命令を受けたサーバー４から送信された患者情報５を受信する患者情報受信手段７と、患者情報５を情報電子端末２の表示部８に表示する患者情報表示手段９と、サーバー４から受信した患者情報５から患者固定具１０に関する情報１１を取得して表示部８に表示するように制御する制御手段１２と、が含まれてなる。さらに、サーバー４には、患者情報５を記憶部２２に記憶する患者情報記憶手段１３と、患者情報送信命令を受けて、対応する患者情報５を情報電子端末２に送信する患者情報送信手段１４と、が含まれてなる。
【００１９】
情報電子端末２としては、例えば、スマートフォンが挙げられる。コンピュータ・ネットワーク３とは、通信回線を利用して複数のコンピュータを接続したシステムを指す。サーバー４とは、コンピュータ・ネットワーク３上で、情報を保存及び提供するコンピュータを指す。患者情報５には、例えば、患者の個人情報１５、放射線照射線量１６、放射線照射回数１７、既治療回数４０、患者固定具１０に関する情報１１、周辺器具情報４１、患者の体位に関する情報４２などが含まれる。患者情報表示手段９としては、例えば、情報電子端末２を構成する筐体の表面に取り付けられてなる表示装置などの表示部８が挙げられる。表示装置は、タッチパネル等を用いることで情報入力装置を兼ねることができる。患者固定具１０としては、例えば、枕や円座類、シェルなどが存在し、頭部や頭頚部、腰部に用いられる。制御手段１２には、情報電子端末２中のＣＰＵが用いられる。患者情報記憶手段１３としては、例えば、不揮発性メモリや磁気ディスク記憶装置などの記憶部２２が挙げられる。
【００２０】
以下、放射線治療支援システム１の使用方法について、図を用いて説明する。まず、図１に示すように、放射線治療室１８にいる医師等１９は、自身が有する情報電子端末２を起動した後、本考案に係る放射線治療支援システム１を使用するため、図５に示すような画面を表示し、入力手段２０によって、次の放射線治療患者（以下、Ａ患者という。）２１に該当する患者情報５（以下、５ａという。）を、当該患者情報５ａが記憶されているサーバー４の記憶部２２に対して、要求する選択２３を行う。
【００２１】
ここで、入力手段２０としては、情報電子端末２の表示部８をタッチパネル式として、医師等１９の指先で直接タップないしフリックするといった手段が挙げられる。また、情報電子端末２の表示部８を指先で直接触ることが困難な場合は、情報電子端末２に使用することができる当該情報電子端末２用のペン等によって、情報電子端末２を操作してもよい。
【００２２】
図２に示すように、選択２３がなされた後、制御手段１２を通じて、医師等１９が有する情報電子端末２の通信部２４から、サーバー４の通信部２５に対してＡ患者２１の患者情報５ａに係る患者情報送信命令６がなされる（図２ｓｔ１参照）。
【００２３】
情報電子端末２からなされた、Ａ患者２１の患者情報５ａに係る患者情報送信命令６を受信したサーバー４（図２ｓｔ２参照）は、制御手段２６を介して、当該患者情報５ａが記憶されている記憶部２２のデータベースＤから、Ａ患者２１の患者情報５ａを抽出する（図４Ｄ参照）。
【００２４】
Ａ患者２１の患者情報５ａを抽出したサーバー４は、制御手段２６を通じて、通信部２５から患者情報送信手段１４により、情報電子端末２の通信部２４に対して、Ａ患者２１の患者情報５ａを送信する（図２ｓｔ３参照）。情報電子端末２は、サーバー４から送信された当該患者情報５ａを、患者情報受信手段７により、受信する（図２ｓｔ４参照）。
【００２５】
情報電子端末２は、サーバー４からＡ患者２１の患者情報５ａが送信された場合、図６に示すような通知画面２７を表示する。表示された通知画面２７を確認した、医師等１９は、通知画面２７中に表示されたメッセージ２８を確認の上、入力手段２０によって、患者情報５ａを表示する選択２９又は患者情報５ａを表示しない選択３０を行う。患者情報５ａを表示しない選択３０を行った場合、図５に戻る。
【００２６】
医師等１９が入力手段２０によって、患者情報５ａを表示する選択２９を行った場合、情報電子端末２は、図７及び９に示すように、Ａ患者２１の患者情報５ａを情報電子端末２中の表示部８に表示し（図２ｓｔ５参照）、制御手段１２によって、患者情報５ａから患者固定具１０に関する情報１１を取得して当該情報１１を表示部８に表示する（図２ｓｔ６参照）。
【００２７】
患者情報５ａには、図７に示すように、患者の個人情報１５として、患者の氏名及び年齢が含まれている。これは、医師等１９が放射線治療を開始する前に、Ａ患者２１の本人確認をするためである。なお、Ａ患者２１の本人確認をより確実にするため、患者の個人情報１５とともに、Ａ患者２１の顔写真４３が含まれていることが好ましい。また、患者情報５ａには、患者の個人情報１５の他、図９に示すように、放射線照射線量１６、放射線照射回数１７、既治療回数４０、固定具に関する情報１１、周辺器具情報４１、患者の体位に関する情報４２が含まれている。ここで、放射線照射線量１６を示す単位としてはＧｙ（グレイ）を用いる。Ｇｙとは放射線によって人体をはじめとした物体に与えられたエネルギーを表す単位を指す。さらに、放射線照射回数１７には、Ａ患者２１に対して行う、放射線照射の回数が表示されている。さらにまた、放射線照射回数と併記されている、既治療回数４０によって、今回の放射線治療が何度目の治療かを、医師等１９が確認することができる。
【００２８】
固定具に関する情報１１には、図７及び９に示すように、固定具の種類及びＡ患者２１に患者固定具１０が装着されている状態を示す画像３１が含まれている。ここでいう画像３１には、例えば、写真、イラスト、動画などが含まれる。患者固定具１０の装着状態を画像で表示することにより、医師等１９は、放射線治療室１８内で、画像に表示されている患者固定具１０の装着状態と同様に、Ａ患者２１に対して患者固定具１０を取り付ければよいため、正確かつ迅速に患者固定具１０を取り付けることができる。
【００２９】
周辺器具情報４１には、例えば、患部以外を補助的に固定する役割を担う周辺器具４１Ａに関する情報が含まれ、より具体的には、Ａ患者２１の患部である頭部以外の首を補助的に固定する役割を担う器具に関する情報が含まれる。患者の体位に関する情報４２には、患者が放射線治療を受ける際の姿勢に関する情報が含まれる。患者情報５ａにこれらの情報を含めることで、医師等１９は、より確実にＡ患者２１の患部を固定することができる（図９参照）。
【００３０】
医師等１９が選択２９によって、情報電子端末２に表示した患者情報５ａ及び固定具に関する情報１１は、例えば、医師等１９が表示部８をスクロールバー３２によって、画面を上下に動かすことで、確認することができる。また、患者固定具１０が装着されている状態を示す画像にあっては、例えば、患者固定具１０を取り付ける際の医師等１９の手元を詳細に確認するため、図８に示すように、拡大して確認することもできる。
【００３１】
医師等１９は、上述した方法により、情報電子端末２の表示部８に表示された患者情報５ａ及び固定具に関する情報１１を確認しながら、Ａ患者２１の治療の準備を行う。より具体的には、例えば、情報電子端末２の表示部８に表示された患者情報５ａ及び固定具に関する情報１１に記載されている患者の個人情報１５及び患者固定具１０の種類を確認し、Ａ患者２１に割り当てられた患者固定具１０を放射線治療室１８内に設置された固定具収納棚３３から取り出す。この時、表示部８に周辺器具情報４１が表示されている場合は、周辺器具４１Ａを固定具収納棚３３から取り出しておき、患部をより確実に固定できるように、あらかじめ準備しておくことができる。Ａ患者２１が、放射線治療室１８に入室したら、医師等１９は、情報電子端末２に表示されている患者の個人情報１５、既治療回数４０を確認しながら、Ａ患者２１の本人確認を行う。本人確認が終了したら、Ａ患者２１を放射線照射装置３４に誘導し、治療内容について説明した上で、固定具収納棚３３から取り出しておいた患者固定具１０及び周辺器具によって、Ａ患者２１を固定する。この際、患者固定具１０の取付方法が分からなくなった場合は、医師等１９は、情報電子端末２に表示された固定具に関する情報１１を確認し、場合によっては、情報を確認しながら、Ａ患者２１に対して患者固定具１０を取り付ければよい（図２ｓｔ７参照）。また、周辺器具の取付方法が分からなくなった場合は、医師等１９は、情報電子端末２に表示された患者情報５ａを確認し、場合によっては、情報を確認しながら、Ａ患者２１に対して周辺器具を取り付ければよい。
【００３２】
患者固定具１０の取付が完了したら、医師等１９は、放射線治療室１８内の扉３５を通り、壁３６によって放射線治療室１８とは別離された放射線治療操作室３７に移動し、放射線治療操作室３７内に設置されたＰＣ３８を操作する。操作方法としては、例えば、キーボード、マウス等が挙げられる。医師等１９は、ＰＣ３８にＡ患者２１の治療条件を入力することで、放射線照射装置３４を操作することができる（図２ｓｔ８参照）。治療条件としては、例えば、放射線照射の対象患部、放射線照射線量１６を入力する。また、この際、医師等１９は、Ａ患者２１の患部に照射する放射線照射線量１６の値が分からなくなった場合及び確認のため、情報電子端末２に表示されている患者情報５ａ中の放射線照射線量１６を確認することもできる。
【００３３】
Ａ患者２１の治療条件の入力が完了したら、医師等１９は、ＰＣ３８を操作し、放射線照射装置３４に対して、放射線治療開始命令を送信する（図２ｓｔ９参照）。放射線治療開始命令がなされると、放射線照射装置３４は、Ａ患者２１に対して、ＰＣ３８に入力された治療条件に基づいて、放射線照射を開始する。
【００３４】
ＰＣ３８に入力された治療条件に基づいた放射線治療が終了したら、放射線照射装置３４からＰＣ３８に対して、放射線治療終了信号が送信され、ＰＣ３８は、当該信号を受信する（図２ｓｔ１０参照）。医師等１９は、ＰＣ３８が放射線治療終了信号を受信したことを確認した後、ＰＣ３８を操作することによって、コンピュータ・ネットワーク３を介して接続されるサーバー４に対して、Ａ患者の放射線治療完了信号を送信する（図２ｓｔ１１参照）。サーバー４は、Ａ患者の放射線治療完了信号を受信したら（図２ｓｔ１２参照）、サーバー４内の記憶部２２中、データベースＤに記憶されているＡ患者の患者情報５ａを更新する（図２ｓｔ１３参照）。
【００３５】
医師等１９は、ＰＣ３８からコンピュータ・ネットワーク３を介して接続されるサーバー４に対して、Ａ患者の放射線治療完了信号を送信した後、再び扉３５を通り、放射線治療室１８に入室し、Ａ患者２１に取り付けられている患者固定具１０を取り外す。患者固定具１０が取り外された後においても、Ａ患者２１の着替えなどでＡ患者２１が放射線治療室１８にいる間は、医師等１９は、Ａ患者２１の傍で待機しなければならない。その間、医師等１９は、携帯している情報電子端末２を操作し、次の放射線治療患者のために、前述した準備と同様の準備を行うことができる。これにより、全体としての治療時間の短縮化が可能となる。
【００３６】
なお、次の放射線治療患者がおらず、放射線治療の準備が必要でない場合には、本考案に係る放射線治療支援システム１を使用するための、図５に示すような画面において、医師等１９は、入力手段２０によって、放射線治療を終了する旨の選択３９を行う。
【符号の説明】
【００３７】
１    放射線治療支援システム
２    情報電子端末
３    コンピュータ・ネットワーク
４    サーバー
５    患者情報
１０    患者固定具
１１    固定具に関する情報
１９    医師等
３１    画像
３３    固定具収納棚
Ｄ    データベース
【図１】
0003235472.tif 000003
【図２】
0003235472.tif 000004
【図３】
0003235472.tif 000005
【図４】
0003235472.tif 000006
【図５】
0003235472.tif 000007
【図６】
0003235472.tif 000008
【図７】
0003235472.tif 000009
【図８】
0003235472.tif 000010
【図９】
0003235472.tif 000011